(57)【要約】【課題】立位が困難な人であっても、補助者に高度なスキー技術を要求することなく安全にゲレンデで遊べるようにする。【解決手段】座椅子１１の下方両側にアーム２５を介してサイドスキー板１５を設け、ユニバーサルジョイント３０を介してアームと連絡させる。ユニバーサルジョイントは、サイドスキー板の略中央部に前後方向に配設した対向する二枚の垂直フランジと、この二枚の垂直フランジの軸孔に、両端部に設けた回動軸を回動可能に嵌合させてなるロール用部材と、ロール用部材の回動軸の軸線に対して垂直方向に回動するピッチ用軸部材とを備えてなり、ピッチ用軸部材の後端を、アームの先端部に固定する。【選択図】　　図１
2004049321.tif 000002
【特許請求の範囲】
【請求項１】
座椅子の下にセンタースキー板を備えるチェアスキーにおいて、
座椅子の下方両側にアームを介してサイドスキー板を設けるとともに、
このサイドスキー板は、ユニバーサルジョイントを介して前記アームの先端部と連絡させてあり、
当該ユニバーサルジョイントは、
サイドスキー板の略中央部に前後方向に配設した対向する二枚の垂直フランジと、
この二枚の垂直フランジの軸孔に、両端部に設けた回動軸を回動可能に嵌合させてなるロール用部材と、
このロール用部材に、当該ロール用部材の回動軸線に対して垂直まわりに回動するよう固定したピッチ用軸部材とを備えてなり、
ピッチ用軸部材の後端を、前記アームの先端部に固定することを特徴とするチェアスキーのサイドスキー板支持構造。
【発明の詳細な説明】
【０００１】
【発明の属する技術分野】
本発明は、座椅子に腰掛けて楽しむチェアスキー（Ｓｉｔ−Ｓｋｉ）の構造に係り、特に身障者用のチェアスキーの安全を高める技術に関する。
【０００２】
【従来の技術】
チェアスキーは、座椅子に腰掛けてゲレンデを滑走するスキースポーツである。このようなチェアスキーは、座椅子の下に一本または二本のスキー板を設けて楽しむものである。
【０００３】
座椅子に腰掛けたままゲレンデを滑走できるため、チェアスキーは身障者でも楽しめる冬期スポーツとして知られるようになった。冬季のパラリンピック大会でも公式競技として採用され、各種のチェアスキーが開発されるようになっている。
【０００４】
チェスキーは、スキーと同じように体重移動による方向転換の技術が求められるため、競技用のチェアスキーは、座椅子の下に垂直方向のアーム設け、これに一本または二本のスキー板を取り付け、座椅子に腰掛けたまま体重移動によって進行方向を操作する。またゲレンデには凹凸があるため、起伏滑走の衝撃を緩和するために座椅子の下に設けるアームには、サスペンション（ショックアブソーバ）を設けることが少なくない。
【０００５】
【発明が解決しようとする課題】
ところで、チェアスキーは座椅子に腰掛けたまま楽しめる冬季スポーツであることから、立位が困難な人でもゲレンデに出てスキー遊びが出来る。
【０００６】
しかしながら、従来のチェアスキーは、競技用に開発された高テクニックを前提とするものが多く、一般の者がチャレンジするには危険性もあり、サポートする補助者にも高度のスキー技術が要求されるなど、チェアスキーで遊ぶ機会をもてる人は非常に限られた範囲に限定されていた。
【０００７】
そこで本発明の目的は、立位が困難な人であっても、補助者に高度なスキー技術を要求することなく安全にゲレンデで遊ぶことが出来るチェアスキーを提供する点にある。
【０００８】
【課題を解決するための手段】
前記目的を達成するため、本発明に係るチェアスキーは、座椅子の下にセンタースキー板を備えるチェアスキーを技術的前提として、座椅子の下方両側にアームを介してサイドスキー板を設けるとともに、このサイドスキー板は、ユニバーサルジョイントを介して前記アームの先端部と連絡させる。
【０００９】
そしてユニバーサルジョイントは、サイドスキー板の略中央部に前後方向に配設した対向する二枚の垂直フランジと、この二枚の垂直フランジの軸孔に、両端部に設けた回動軸を回動可能に嵌合させてなるロール用部材と、ロール用部材の回動軸線に対して垂直周りに回動するよう固定したピッチ用軸部材とを備えてなり、ピッチ用軸部材の後端を、アームの先端部に固定する。
【００１０】
【発明の実施の形態】
図１、図２は、本発明に係るチェアスキーの全体の構造を例示するものである。このチェアスキー１０は、適宜の素材、例えば合成樹脂で成形した座椅子１１の直下にメインのセンタースキー板１２を配するとともに、このセンタースキー板１２の両サイドに、比較的短寸のサイドスキー板１５を配してある。
【００１１】
センタースキー板１２は、最も大きな体重負荷がかかるため、コイルバネまたはエアを利用したサスペンション１３を介して座椅子１１と連結する。サスペンション１３は、座椅子１１の腰かけ板１９に対して常時垂直となるよう固定しておくことが望ましい。
【００１２】
１８は、サスペンション１３の周りに配した適用本数の補強杆である。この補強杆１８は、エアサスペンションを用いても良いし、伸縮しない部材、例えば金属パイプを用いても良い。パイプ材等を利用する場合は、腰かけ板１９の裏面に配した支持部材１７との接続固定部において、当該パイプ材（１８）の伸縮調整ができるよう適宜のバネ材を介して固定しておくことが望ましい。
【００１３】
サイドスキー板１５は、腰かけ板１９の裏面に配した支持部材１７に上端部を固定したアーム２５を介して取り付ける。またアーム２５の下端部には、本発明に係るユニバーサルジョイント（自在継手）３０を配し、座椅子１１とサイドスキー板１５とを相対運動可能に固定する。
【００１４】
ユニバーサルジョイント３０は、より具体的には、例えば図３、図４に例示するように構成する。
【００１５】
３１は、サイドスキー板１５の略中央表面に固定した基板、３２、３３は、基板３１の前後において略垂直に立ち上げた二枚のフランジ、４２、４３は、このフランジ３２、３３に回動自由に軸支させた回動軸、３５は、ロール用部材である。ロール用部材３５は、ベアリング４９によって支持された回動軸４２、４３により、フランジ３２、３３に対して相対運動（回動）を行うことが出来る。回動軸４２、４３は同一軸線上に位置する。
【００１６】
符号５１は、アーム２５の先端部に設けたピッチ用基板、５３は、このピッチ用基板５１の略中央において外方へ突出させたピッチ用軸部材である。ピッチ用軸部材５３は、ベアリング５９を介してロール用部材３５の内側面略中央に回動自由に固定しておく。
【００１７】
次に作用を説明する。
チェアスキー１０の滑走時においては、座椅子１１とアーム２５はほぼ一定の角度関係を保つ。本実施形態に係るチェアスキー１０のアーム２５は、座椅子１１の下の支持部材１７に固定され、ピッチ用軸部材５３によって軸周りに回動は出来るが、軸線に対する上下左右方向の運動はしないからである。
【００１８】
この結果、滑走方向前方にある雪面の凹凸によってサイドスキー板１５の前方に、軸線方向（長手方向）に対して押し上げの力が働いたときは、図５に示すように、ピッチ用軸部材５３によってサイドスキー板１５の前方が持ち上がり、座椅子１１の傾きや衝撃を最小限に抑えて安全を確保する。逆に、雪面の凹凸やゲレンデの傾斜角度の変化によってサイドスキー板１５の前方が雪面の支持を失ったときは、図６に示すように、サイドスキー板１５が下降傾斜して接地の安定を確保する。
【００１９】
一方、サイドスキー板１５の長手方向（中央軸線）の左右に雪面の凹凸がある場合は、図７、図８に示すように、回動軸４２、４３を中心としてロール用部材３５がフランジ３２、３３に対して反時計方向または時計方向に自由回動する。従って、サイドスキー板１５は左右の微小凹凸による衝撃を吸収し、アーム２５を介して接続している座椅子１１の傾きを最小限に抑え、スキープレー上の安全を高めることが出来る。
【００２０】
このように、このチェアスキー１０によれば、センタースキー板１２の左右位置に適当長のサイドスキー板１５を設けることにより、ゲレンデ滑走時における座椅子１１の安定を確保する。左右二枚のサイドスキー板１５により、雪原の起伏に起因する座椅子１１の前後左右への傾きによる転倒事故は最小限に抑えられ、身障者のプレー時における補助者の負担を確実に軽減できる。
【００２１】
またサイドスキー板１５のアーム２５は、ロール用部材３５およびピッチ用軸部材５３を介して座椅子１１に支持されているため、雪原の起伏に起因するサイドスキー板１５の長手方向の上下運動、およびサイドスキー板１５の軸線周りの回動（左右運動）を連続的に行うことが出来る。この結果として、ゲレンデ凹凸による座椅子１１への衝撃伝達を吸収し、スキープレー時の快適を保証するとともに、座椅子１１の傾きを最小限に抑えて転倒事故の発生確率を最大限に抑えることを可能とする。
【００２２】
尚、本発明に係るチェアスキーは、前記実施形態で示した構造に限定されない。例えば座椅子１１の形状、アーム２５の形状は適宜変更できる。身障者のプレー用としては、座椅子１１の腰回りや背板周りに転落防止用の凸部を設けることが好ましい。また座椅子１１の背板の背後に、補助者用の把手やロープを結ぶための部材（例えばフックやリング）を設けることが望ましい。
【００２３】
座椅子１１とサイドスキー板１５を連絡するアーム（２５）の形状は問わない。一本のパイプ状部材を用いても良いし、二本以上の剛性パイプ材を用いて強度を高めても良い。またアーム（２５）は必ずしもパイプ材で構成する必要はない。いずれの場合でも、アーム２５の先端部は、ピッチ用基板５１を介してロール用部材３５に軸着することが望ましい。アーム（２５）に作用する外力を最小限に抑えてピッチ用軸部材５３のスムースな滑動（回転）を保証するためである。
【００２４】
また、アーム２５は、座椅子１１の裏面の支持部材１７に固定する旨説明したが、バネ部材を用いて上下動可能に固定しても良い。ロール用部材３５およびピッチ用軸部材５３による衝撃吸収で解消できない激しい衝撃を、アーム（２５）の上下動によって吸収することが可能となるからである。
【００２５】
センタースキー板１２とサイドスキー板１５の長さや幅の比率はとくに限定されない。同一長、同一幅であっても良い。しかしながら、サイドスキー板１５が安定性確保のための補助スキーであることに鑑みれば、サイドスキー板１５はセンタースキー板１２の４０〜６０％の長さとし、幅寸法を５〜３０％大きく設計することが望ましい。
【００２６】
外観品質の向上のためユニバーサルジョイント（３０）を、適宜デザインの装飾カバーによって被覆することもできる。装飾カバーを設けることにより、転倒時におけるプレーヤーの安全性も確保できる。装飾カバーは肉薄の合成樹脂または金属パネルで構成する異が望ましい。着脱自在としても良い。
【００２７】
ロール用部材３５は、一定範囲、例えば４５度程度の傾斜角度をとれるもので、ピッチ用軸部材５３から受ける重量負荷に耐える剛性があれば、とくにその形状や材質は限定されない。
【００２８】
【発明の効果】
以上説明したように、本発明に係るチェアスキーによれば、立位が困難な人であっても、補助者に高度なスキー技術を要求することなく安全にゲレンデで遊ぶことが出来る。
【図面の簡単な説明】
【図１】本発明に係るチェアスキーを例示する正面図である。
【図２】本発明に係るチェアスキーを例示する平面図である。
【図３】本発明に係るユニバーサルジョイントを平面から例示する図である。
【図４】本発明に係るユニバーサルジョイントを側面から例示する図である。
【図５】図３に示すユニバーサルジョイントのピッチ運動を示す第一の図である。
【図６】図３に示すユニバーサルジョイントのピッチ運動を示す第二の図である。
【図７】図３に示すユニバーサルジョイントのロール運動を示す第一の図である。
【図８】図３に示すユニバーサルジョイントのロール運動を示す第二の図である。
【符号の説明】
１０　チェアスキー
１１　座椅子
１２　センタースキー板
１５　サイドスキー板
１３　サスペンション
１７　支持部材
１８　補強杆
１９　腰かけ板
２５　アーム
３０　ユニバーサルジョイント（自在継手）
３１　基板
３２、３３　フランジ
４２、４３　回動軸
３５　ロール用部材
４９、５９　ベアリング
５１　ピッチ用基板
５３　ピッチ用軸部材
【図１】
2004049321.tif 000003
【図２】
2004049321.tif 000004
【図３】
2004049321.tif 000005
【図４】
2004049321.tif 000006
【図５】
2004049321.tif 000007
【図６】
2004049321.tif 000008
【図７】
2004049321.tif 000009
【図８】
2004049321.tif 000010